【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
ウェアラブルディスプレイデバイスであって、
導波管と、
前記導波管のユーザ向き側上に位置付けられ、かつ前記導波管に平行である、第１の光学操向コンポーネントと、
前記導波管の世界向き側上に位置付けられ、かつ前記導波管に平行である、第２の光学操向コンポーネントと、
仮想コンテンツを表す光を前記導波管中へと放出するように構成される光源と
を備え、
前記導波管は、前記光源から放出された前記光を前記第１の光学操向コンポーネントを通して前記ウェアラブルディスプレイデバイスのユーザに向かって回折するように構成される回折光学系を含み、前記光源は、前記光が前記第１の光学操向コンポーネントの異なる周辺領域を通して放出されることをもたらす走査パターンに従って、前記光を放出するように構成され、
前記第１の光学操向コンポーネントは、前記第１の光学操向コンポーネントの前記異なる周辺領域のうちの１つ以上において、前記光源から受け取られる前記光の少なくとも一部を、前記異なる周辺領域間の中心領域に向かって偏移させるように構成される、ウェアラブルディスプレイデバイス。
【請求項２】
眼追跡センサをさらに備え、前記中心領域は、前記眼追跡センサが前記ユーザの眼が焦点を合わせていることを示す場所に基づいて決定される、請求項１に記載のウェアラブルディスプレイデバイス。
【請求項３】
前記第１の光学操向コンポーネントは、前記第１の光学操向コンポーネントの中心部分から出射する前記光よりも実質的に前記異なる周辺領域のうちの１つから出射する前記光の方向を多く変化させるように構成される調整可能プリズムのアレイを備える、請求項１に記載のウェアラブルディスプレイデバイス。
【請求項４】
前記第２の光学操向コンポーネントは、前記第１の光学操向コンポーネントが前記導波管を通して可視である実世界オブジェクトの外観を歪曲させることを防止するように構成される、請求項１に記載のウェアラブルディスプレイデバイス。
【請求項５】
前記導波管の前記ユーザ向き側上に位置付けられる第１のレンズと、
前記導波管の前記世界向き側上に位置付けられる第２のレンズと
をさらに備える、請求項１に記載のウェアラブルディスプレイデバイス。
【請求項６】
前記第１のレンズは、前記ウェアラブルディスプレイデバイスのユーザと前記ウェアラブルディスプレイデバイスによって表示される前記仮想コンテンツとの間の見掛け距離を調節するために、その位相プロファイルを変化させるように構成される、請求項５に記載のウェアラブルディスプレイデバイス。
【請求項７】
前記ウェアラブルディスプレイデバイスは、拡張現実デバイスであり、周辺環境からの光が、前記第１の光学操向コンポーネントおよび前記第２の光学操向コンポーネントの両方を通過する、請求項１に記載のウェアラブルディスプレイデバイス。
【請求項８】
前記第２の光学操向コンポーネントは、前記第１および第２の光学操向コンポーネントを通過する外側世界からの光が前記ウェアラブルディスプレイデバイスのユーザに歪みなく見えるように、前記第１の光学操向コンポーネントの第２の光学構成に相補的である第１の光学構成を維持する、請求項７に記載のウェアラブルディスプレイデバイス。
【手続補正２】
【補正対象書類名】明細書
【補正対象項目名】００１０
【補正方法】変更
【補正の内容】
【００１０】
本発明の他の側面および利点が、実施例として、説明される実施形態の原理を図示する、付随の図面と併せて検討される、以下の詳細な説明から明白となるであろう。
本願明細書は、例えば、以下の項目も提供する。
（項目１）
拡張現実デバイスであって、
第１の調整可能レンズと、
第２の調整可能レンズと、
前記第１の調整可能レンズと前記第２の調整可能レンズとの間に位置付けられる導波管であって、前記導波管は、仮想コンテンツを表す光を前記第１の調整可能レンズを通して前記拡張現実デバイスのユーザに向かって指向するように構成される、導波管と、
プロセッサであって、前記プロセッサは、
前記仮想コンテンツと前記拡張現実デバイスのユーザとの間の見掛け距離を改変するために、形状を変化させるように前記第１の調整可能レンズに指図することと、
実世界オブジェクトと前記拡張現実デバイスのユーザとの間の見掛け距離を維持するために、形状を変化させるように前記第２の調整可能レンズに指図することと
を行うように構成される、プロセッサと
を備える、拡張現実デバイス。
（項目２）
前記第１および第２の調整可能レンズは、液晶レンズである、項目１に記載の拡張現実デバイス。
（項目３）
前記第１の調整可能レンズは、前記仮想コンテンツの第１の部分が前記ユーザからの第１の見掛け距離において表示され得、前記仮想コンテンツの第２の部分が前記ユーザからの第２の見掛け距離において表示され得るように、複数の領域を異なるように調節するように構成される、項目２に記載の拡張現実デバイス。
（項目４）
前記導波管は、プロジェクタから受け取られた光をユーザの眼に向かって再配向する回折光学系を備える、項目１に記載の拡張現実デバイス。
（項目５）
前記第１および第２の調整可能レンズは、回折レンズ、流体レンズ、機械的レンズ、およびエレクトロウェッティングレンズから成る群から選択される、項目１に記載の拡張現実デバイス。
（項目６）
拡張現実デバイスであって、
第１の調整可能レンズと、
第２の調整可能レンズと、
前記第１の調整可能レンズと前記第２の調整可能レンズとの間に位置付けられる導波管であって、前記導波管は、仮想コンテンツを表す光を前記第１の調整可能レンズを通して前記拡張現実デバイスのユーザに向かって指向するように構成される回折光学系を含む、導波管と
を備え、
前記第１の調整可能レンズは、前記拡張現実デバイスのユーザと前記仮想コンテンツとの間の見掛け距離を調節するために、形状を変化させるように構成される、
拡張現実デバイス。
（項目７）
前記第１および第２の調整可能レンズが協働的に形状を変化させる際、実世界オブジェクトからの光が、前記第１および第２の調整可能レンズの両方を通過する、項目６に記載の拡張現実デバイス。
（項目８）
前記第２の調整可能レンズは、前記第１の調整可能レンズが前記導波管を通して可視である実世界オブジェクトの外観を歪曲させることを防止するように構成される、項目６に記載の拡張現実デバイス。
（項目９）
前記第１および第２の調整可能レンズは、前記拡張現実デバイスのユーザの視覚を補正するように構成される、項目６に記載の拡張現実デバイス。
（項目１０）
前記第２の調整可能レンズはまた、前記ユーザの注意を前記仮想コンテンツに集中させようとするとき、実世界オブジェクトのビューを不明瞭にするように構成される、項目６に記載の拡張現実デバイス。
（項目１１）
前記第１の調整可能レンズは、第１の距離における定常仮想コンテンツに関する第１の領域および前記第１の距離とは異なる第２の距離における移動仮想コンテンツに関する第２の領域を画定する、項目６に記載の拡張現実デバイス。
（項目１２）
ウェアラブルディスプレイデバイスであって、
第１の光学操向コンポーネントと、
第２の光学操向コンポーネントと、
仮想コンテンツを表す光を放出するように構成される光源と、
前記第１の光学操向コンポーネントと前記第２の光学操向コンポーネントとの間に位置付けられる導波管であって、前記導波管は、前記光源から放出された前記光を前記第１の光学操向コンポーネントを通して前記ウェアラブルディスプレイデバイスのユーザに向かって回折するように構成される回折光学系を含む、導波管と
を備え、
前記第１の光学操向コンポーネントは、前記光源から受け取られ、前記導波管から出射する前記光の少なくとも一部を、前記第１の光学操向コンポーネントの周辺領域を通してユーザの眼に向かって偏移させるように構成される、ウェアラブルディスプレイデバイス。
（項目１３）
前記光源は、前記光が前記第１の光学操向コンポーネントの異なる領域を通して放出されることをもたらす走査パターンに従って、前記光を放出するように構成される、項目１２に記載のウェアラブルディスプレイデバイス。
（項目１４）
眼追跡センサをさらに備え、前記走査パターンの場所は、前記眼追跡センサが前記ユーザの眼が焦点を合わせていることを示す前記ウェアラブルディスプレイデバイスの一部を中心とする、項目１３に記載のウェアラブルディスプレイデバイス。
（項目１５）
前記第１の光学操向コンポーネントは、前記導波管の中心部分に位置する前記導波管の第２の部分よりも実質的に前記導波管の周辺部分に位置する前記導波管の第１の部分から出射する光の方向を多く変化させるように構成される調整可能プリズムのアレイを備える、項目１２に記載のウェアラブルディスプレイデバイス。
（項目１６）
前記第２の光学操向コンポーネントは、前記第１の光学操向コンポーネントが前記導波管を通して可視である実世界オブジェクトの外観を歪曲させることを防止するように構成される、項目１２に記載のウェアラブルディスプレイデバイス。
（項目１７）
第１のレンズと、
第２のレンズであって、前記第１および第２のレンズは、前記導波管の両側上に配列される、第２のレンズと
をさらに備える、項目１２に記載のウェアラブルディスプレイデバイス。
（項目１８）
前記第１のレンズは、前記ウェアラブルディスプレイデバイスのユーザと前記ウェアラブルディスプレイデバイスによって表示される前記仮想コンテンツとの間の見掛け距離を調節するために、その位相プロファイルを変化させるように構成される、項目１７に記載のウェアラブルディスプレイデバイス。
（項目１９）
前記ウェアラブルディスプレイデバイスは、拡張現実デバイスであり、周辺環境からの光が、前記第１の光学操向コンポーネントおよび前記第２の光学操向コンポーネントの両方を通過する、項目１２に記載のウェアラブルディスプレイデバイス。
（項目２０）
前記第２の光学操向コンポーネントは、前記第１および第２の光学操向コンポーネントを通過する外側世界からの光が前記ウェアラブルディスプレイデバイスのユーザに歪みなく見えるように、前記第１の光学操向コンポーネントの第２の光学構成に相補的である第１の光学構成を維持する、項目１９に記載のウェアラブルディスプレイデバイス。
（項目２１）
ウェアラブルディスプレイデバイスであって、
プロジェクタと、
接眼レンズであって、前記接眼レンズは、
１つ以上の光学操向コンポーネントと、
光を前記プロジェクタから受け取り、前記１つ以上の光学操向コンポーネントを通してユーザに向かって指向するように構成される、導波管と
を備える、接眼レンズと、
前記ユーザの片方または両方の眼の移動を検出するように構成される眼注視トラッカと、
前記１つ以上の光学操向コンポーネントおよび前記眼注視トラッカに通信可能に結合される制御回路であって、前記制御回路は、前記ユーザの片方または両方の眼の検出された移動に従って、前記１つ以上の光学操向コンポーネントの光学操向パターンを調節するように構成される、制御回路と
を備える、ウェアラブルディスプレイデバイス。
（項目２２）
前記１つ以上の光学操向コンポーネントは、調整可能プリズムのアレイを備える、項目２１に記載のウェアラブルディスプレイデバイス。
（項目２３）
第１のレンズと、
第２のレンズであって、前記第１および第２のレンズは、前記導波管の両側上に配列される、第２のレンズと
をさらに備える、項目２１に記載のウェアラブルディスプレイデバイス。
（項目２４）
前記第１のレンズは、前記ウェアラブルディスプレイデバイスのユーザと前記ウェアラブルディスプレイデバイスによって表示される前記仮想コンテンツとの間の見掛け距離を調節するために、その位相プロファイルを変化させるように構成される、項目２３に記載のウェアラブルディスプレイデバイス。